【手続補正書】
【提出日】令和2年11月19日(2020.11.19)
【手続補正１】
【補正対象書類名】明細書
【補正対象項目名】００７７
【補正方法】変更
【補正の内容】
【００７７】
本開示の主題を詳細に、かつ特定の実施形態を参照して説明したが、本開示に記載された様々な詳細は、本明細書に付随する図面の各々に特定の要素が示されている場合であっても、これらの詳細が本開示に記載された様々な実施形態の必須構成要素であることを暗示するものととられるべきではないことに留意されたい。むしろ、本明細書に添付された特許請求の範囲は、本開示の広がりおよび本開示に記載の様々な実施形態の対応する範囲の単なる表現として解釈されるべきである。さらに、特許請求される主題の趣旨および範囲から逸脱することなく、記載の実施形態に様々な変更および変形がなされ得ることは、当業者に明らかであるはずである。したがって、本明細書は、添付の特許請求の範囲およびそれらの均等物の範囲内に入るそのような変更および変形が提供される種々の記載された実施形態の変更および変形を網羅することを意図する。
以下、本発明の好ましい実施形態を項分け記載する。
実施形態１
油相中の基油と、
水相中の水と、
ミリスチン酸塩を含む層状複水酸化物を含むレオロジー調整剤と、
乳化剤、湿潤剤、流体損失制御添加剤、および加重添加剤から選択される１つ以上の添加剤と、
を含む、油系掘削流体組成物。
実施形態２
前記油系掘削流体が、前記油系掘削流体の総重量に基づいて、０．１重量％〜２重量％の量の前記ミリスチン酸塩を含む前記層状複水酸化物を含む、実施形態１に記載の油系掘削流体組成物。
実施形態３
前記油系掘削流体が、
前記油系掘削流体の総重量に基づいて、１０重量％〜２０重量％の量の前記基油、
前記油系掘削流体の総重量に基づいて、０．１重量％〜２重量％の量の１つ以上の湿潤剤、
前記油系掘削流体の総重量に基づいて、０．１重量％〜５重量％の量の１つ以上の乳化剤、
前記油系掘削流体の総重量に基づいて、０．５重量％〜２重量％の量の１つ以上の流体損失制御添加剤、または
前記油系掘削流体の総重量に基づいて、５０重量％〜９０重量％の量の１つ以上の加重添加剤、
のうちの１つ以上を含む、実施形態１または２のいずれかに記載の油系掘削流体組成物。
実施形態４
前記層状複水酸化物が、Ｍｇ／Ａｌ−ミリスチン酸塩層状複水酸化物である、実施形態１〜３のいずれかに記載の油系掘削流体組成物。
実施形態５
前記層状複水酸化物が、アルミニウムカチオンまたはマグネシウムカチオンのうちの１つ以上を含む、実施形態１〜４のいずれかに記載の油系掘削流体組成物。
実施形態６
油系掘削流体組成物を作製するための方法であって、
基油、含水構成成分、およびレオロジー調整剤を混合して、油系掘削流体組成物を形成することを含み、
前記油系掘削流体組成物が、前記基油を含む油相および前記水を含む水相を含み、
前記レオロジー調整剤が、ミリスチン酸塩を含む層状複水酸化物を含む、方法。
実施形態７
前記方法が、乳化剤、湿潤剤、流体損失制御添加剤、および加重添加剤から選択される１つ以上の添加剤を、前記基油、前記含水構成成分、および前記レオロジー調整剤と混合することをさらに含む、実施形態６に記載の方法。
実施形態８
前記油系掘削流体が、
前記油系掘削流体の総重量に基づいて、１０重量％〜２０重量％の量の前記基油、
前記油系掘削流体の総重量に基づいて、０．１重量％〜５重量％の量の１つ以上の乳化剤、
前記油系掘削流体の総重量に基づいて、０．１重量％〜２重量％の量の１つ以上の湿潤剤、
前記油系掘削流体の総重量に基づいて、０．５重量％〜２重量％の量の１つ以上の流体損失制御添加剤、
前記油系掘削流体の総重量に基づいて、５０重量％〜９０重量％の量の１つ以上の加重添加剤、または
前記油系掘削流体の総重量に基づいて、０．１重量％〜２重量％の量の前記層状複水酸化物、
のうちの１つ以上を含む、実施形態６または７のいずれかに記載の方法。
実施形態９
前記層状複水酸化物が、アルミニウムカチオンまたはマグネシウムカチオンのうちの１つ以上を含む、実施形態６〜８のいずれかに記載の方法。
実施形態１０
前記層状複水酸化物が、Ｍｇ／Ａｌ−ミリスチン酸塩層状複水酸化物である、実施形態６〜９のいずれかに記載の方法。
実施形態１１
地下井を掘削するための方法であって、
油系掘削流体組成物を提供することであって、前記油系掘削流体組成物が、
油相中の基油と、
水相中の水と、
ミリスチン酸塩を含む層状複水酸化物を含むレオロジー調整剤と、
乳化剤、湿潤剤、流体損失制御添加剤、および加重添加剤から選択される１つ以上の添加剤と、を含む、提供することと、
前記油系掘削流体組成物の存在下で、坑井内でドリルを操作することと、
を含む、方法。
実施形態１２
前記坑井が、
３００°Ｆ超の坑井温度、
１０，０００ｐｓｉ超の坑井圧力、または
０℃以下の表面温度、のうちの１つ以上を含む、実施形態１１に記載の方法。
実施形態１３
前記油系掘削流体が、
前記油系掘削流体の総重量に基づいて、１０重量％〜２０重量％の量の前記基油、
前記油系掘削流体の総重量に基づいて、０．１重量％〜５重量％の量の１つ以上の乳化剤、
前記油系掘削流体の総重量に基づいて、０．１重量％〜２重量％の量の１つ以上の湿潤剤、
前記油系掘削流体の総重量に基づいて、０．５重量％〜２重量％の量の１つ以上の流体損失制御添加剤、または
前記油系掘削流体の総重量に基づいて、５０重量％〜９０重量％の量の１つ以上の加重添加剤、または
前記油系掘削流体の総重量に基づいて、０．１重量％〜２重量％の量の前記層状複水酸化物、
のうちの１つ以上を含む、実施形態１１または１２のいずれかに記載の方法。
実施形態１４
前記層状複水酸化物が、アルミニウムカチオンまたはマグネシウムカチオンのうちの１つ以上を含む、実施形態１１〜１３のいずれかに記載の方法。
実施形態１５
前記層状複水酸化物が、Ｍｇ／Ａｌ−ミリスチン酸塩層状複水酸化物である、実施形態１１〜１４のいずれかに記載の方法。
【手続補正２】
【補正対象書類名】特許請求の範囲
【補正対象項目名】全文
【補正方法】変更
【補正の内容】
【特許請求の範囲】
【請求項１】
油相中の基油と、
水相中の水と、
ミリスチン酸塩を含む層状複水酸化物を含むレオロジー調整剤と、
乳化剤、湿潤剤、流体損失制御添加剤、および加重添加剤から選択される１つ以上の添加剤と、
を含む、油系掘削流体組成物。
【請求項２】
前記油系掘削流体が、前記油系掘削流体の総重量に基づいて、０．１重量％〜２重量％の量の前記ミリスチン酸塩を含む前記層状複水酸化物を含む、請求項１に記載の油系掘削流体組成物。
【請求項３】
前記油系掘削流体が、
前記油系掘削流体の総重量に基づいて、１０重量％〜２０重量％の量の前記基油、
前記油系掘削流体の総重量に基づいて、０．１重量％〜２重量％の量の１つ以上の湿潤剤、
前記油系掘削流体の総重量に基づいて、０．１重量％〜５重量％の量の１つ以上の乳化剤、
前記油系掘削流体の総重量に基づいて、０．５重量％〜２重量％の量の１つ以上の流体損失制御添加剤、または
前記油系掘削流体の総重量に基づいて、５０重量％〜９０重量％の量の１つ以上の加重添加剤、
のうちの１つ以上を含む、請求項１に記載の油系掘削流体組成物。
【請求項４】
前記層状複水酸化物が、Ｍｇ／Ａｌ−ミリスチン酸塩層状複水酸化物である、請求項１に記載の油系掘削流体組成物。
【請求項５】
前記層状複水酸化物が、アルミニウムカチオンまたはマグネシウムカチオンのうちの１つ以上を含む、請求項１に記載の油系掘削流体組成物。
【請求項６】
前記層状複水酸化物が、Ｍｇ／Ａｌ−ミリスチン酸塩層状複水酸化物であり、前記油系掘削流体が、前記油系掘削流体の総重量に基づいて、０．１重量％〜２重量％の量の前記層状複水酸化物を含む、請求項１に記載の方法。
【請求項７】
油系掘削流体組成物を作製するための方法であって、
基油、含水構成成分、およびレオロジー調整剤を混合して、油系掘削流体組成物を形成することを含み、
前記油系掘削流体組成物が、前記基油を含む油相および前記水を含む水相を含み、
前記レオロジー調整剤が、ミリスチン酸塩を含む層状複水酸化物を含む、方法。
【請求項８】
前記油系掘削流体が、前記油系掘削流体の総重量に基づいて、０．１重量％〜２重量％の量のＭｇ／Ａｌ−ミリスチン酸塩層状複水酸化物を含む、請求項７に記載の方法。
【請求項９】
前記方法が、乳化剤、湿潤剤、流体損失制御添加剤、および加重添加剤から選択される１つ以上の添加剤を、前記基油、前記含水構成成分、および前記レオロジー調整剤と混合することをさらに含む、請求項７に記載の方法。
【請求項１０】
前記油系掘削流体が、
前記油系掘削流体の総重量に基づいて、１０重量％〜２０重量％の量の前記基油、
前記油系掘削流体の総重量に基づいて、０．１重量％〜５重量％の量の１つ以上の乳化剤、
前記油系掘削流体の総重量に基づいて、０．１重量％〜２重量％の量の１つ以上の湿潤剤、
前記油系掘削流体の総重量に基づいて、０．５重量％〜２重量％の量の１つ以上の流体損失制御添加剤、または
前記油系掘削流体の総重量に基づいて、５０重量％〜９０重量％の量の１つ以上の加重添加剤、
のうちの１つ以上を含む、請求項７に記載の方法。
【請求項１１】
前記油系掘削流体が、前記油系掘削流体の総重量に基づいて、０．１重量％〜２重量％の量の前記層状複水酸化物を含む、請求項７に記載の方法。
【請求項１２】
前記層状複水酸化物が、アルミニウムカチオンまたはマグネシウムカチオンのうちの１つ以上を含む、請求項７に記載の方法。
【請求項１３】
前記層状複水酸化物が、Ｍｇ／Ａｌ−ミリスチン酸塩層状複水酸化物である、請求項７に記載の方法。
【請求項１４】
地下井を掘削するための方法であって、
油系掘削流体組成物を提供することであって、前記油系掘削流体組成物が、
油相中の基油と、
水相中の水と、
ミリスチン酸塩を含む層状複水酸化物を含むレオロジー調整剤と、
乳化剤、湿潤剤、流体損失制御添加剤、および加重添加剤から選択される１つ以上の添加剤と、を含む、提供することと、
前記油系掘削流体組成物の存在下で、坑井内でドリルを操作することと、
を含む、方法。
【請求項１５】
前記坑井が、
３００°Ｆ超の坑井温度、
１０，０００ｐｓｉ超の坑井圧力、または
０℃以下の表面温度、のうちの１つ以上を含む、請求項１４に記載の方法。
【請求項１６】
前記油系掘削流体が、前記油系掘削流体の総重量に基づいて、０．１重量％〜２重量％の量のＭｇ／Ａｌ−ミリスチン酸塩層状複水酸化物を含む、請求項１４に記載の方法。
【請求項１７】
前記油系掘削流体が、
前記油系掘削流体の総重量に基づいて、１０重量％〜２０重量％の量の前記基油、
前記油系掘削流体の総重量に基づいて、０．１重量％〜５重量％の量の１つ以上の乳化剤、
前記油系掘削流体の総重量に基づいて、０．１重量％〜２重量％の量の１つ以上の湿潤剤、
前記油系掘削流体の総重量に基づいて、０．５重量％〜２重量％の量の１つ以上の流体損失制御添加剤、または
前記油系掘削流体の総重量に基づいて、５０重量％〜９０重量％の量の１つ以上の加重添加剤、
のうちの１つ以上を含む、請求項１４に記載の方法。
【請求項１８】
前記油系掘削流体が、前記油系掘削流体の総重量に基づいて、０．１重量％〜２重量％の量の前記層状複水酸化物を含む、請求項１４に記載の方法。
【請求項１９】
前記層状複水酸化物が、アルミニウムカチオンまたはマグネシウムカチオンのうちの１つ以上を含む、請求項１４に記載の方法。
【請求項２０】
前記層状複水酸化物が、Ｍｇ／Ａｌ−ミリスチン酸塩層状複水酸化物である、請求項１４に記載の方法。